(57)【特許請求の範囲】
【請求項１】
幅手方向に亘って表面に複数の欠円溝 (3)…を設け、且つ両側端部附近に第１の係着手段を有する一方の保持片(2) と；該一方の保持片の前記表面に対向して、同様の欠円溝(3´)…を有し、且つ両側端部附近に第２の係着手段を設けた他方の保持片(2´)；からなる一対の保持具(1) をもって、それぞれの係着手段を相互に弾発状に係着した状態で複数の配管(P) を欠円溝(3)(3´) 部に包持して固定するように構成したことを特徴とする集中配管一括固定用保持具。
【請求項２】
前記保持具(1) の背面側に、基体への取付け壁(6) を一体に突設して形成したことを特徴とする請求項１記載の集中配管一括固定用保持具。
【発明の詳細な説明】
【０００１】
【発明の属する技術分野】
本発明は一般に自動車にあってマスターシリンダーからＡＢＳユニット及びＡＢＳユニットからそれぞれの車輪への制御配管或いは燃料配管、その他各種の機械、装置等にあって給油、給気の供給路等として配設される外径１０ｍ／ｍ程度以下の比較的細径からなる金属管もしくは樹脂チューブ（以下単に配管と称す）の集中配管一括固定用保持具に関するものである。
【０００２】
【従来の技術】
従来、この種の一括固定用保持具としては例えば図６に示すように、幅手方向に亘るその両側表面に対向位置して外方への搾口状となす複数の欠円溝(12)…を設けて保持具(11)となし、該欠円溝部のそれぞれに配管(P´)を挾持して固定するか、或いは図７に示すように、幅手方向に亘ってその一方表面に設けた外方への搾口状からなる欠円溝 (12´)…に連って更にその内部に深い欠円溝 (12")…を有して保持具(11)となし、該欠円溝部のそれぞれに配管(P´)を挾持して固定するかして構成されていた。尚(13)は保持具(11)の背面側に突設した相手基体への取付け壁である。
【０００３】
【発明が解決しようとする課題】
しかしながら、このような従来の技術においては、保持具(11)のなすいずれもブロック状からなる一体構造での外方への搾口状の欠円溝(12)…及び (12´)…、(12") …での配管(P´)の抜けに関連して、結束配管数の違いによりその都度適合した数の欠円溝(12)…或いは (12´)…、 (12")…を有するそれぞれの保持具(11)を必要となすため、多種類の保持具(11)の成形並びにその成形用の型製作を余儀なくされることとなり、製品コストを高価となし、同時にこれの型及び製品の管理を著しく煩わしくなす等の問題を有するものであった。
【０００４】
本発明は従来技術の有する前記問題に鑑みてなされたものであり、特に保持具を一対からなる合せ型となしてその両側端部附近を互いに弾発状に係着して対面面部に配管を包持、固定せしめるように構成することにより、一括集中する配管の数や外径の違いにあっても一定の保持具での使用をもって支障なくその適用性を高め、余分な保持具成形用の型製作及び多種類に亘る製品を不要となし、容易なこれら管理によって製品コストを低減することのできる集中配管一括固定用保持具を提供することを目的とするものである。
【０００５】
【課題を解決するための手段】
本発明は上記目的を達成するため、幅手方向に亘って表面に複数の欠円溝を設け、且つ両側端部附近に第１の係着手段を有する一方の保持片と；該一方の保持片の前記表面に対向して、同様の欠円溝を有し、且つ両側端部附近に第２の係着手段を設けた他方の保持片とからなる一対の保持具もしくは前記第２の係着手段のみを有する平板状の他方の保持片と；からなる一対の保持具をもって、それぞれの係着手段を相互に弾発状に係着した状態で複数の配管を欠円溝部に包持して固定するように構成した集中配管一括固定用保持具を要旨とするものであり、更に前記保持具の背面側に、基体への取付け壁を一体に突設して形成するものである。
【０００６】
以上のように構成されているため、本発明によれば保持具のなす合せ型による前記他方の保持片と、前記互いの両側端部附近での弾発状の係着構造とによって、例え一括集中する結束配管数や外径の違いにあっても一定の保持具の使用をもって支障なく適用することができると共に、欠円溝部での該配管の抜けの憂いをなくして確実に固定することができ、また余分な保持具の成形並びに該成形用の型製作及び多種類に亘る製品を不要となし、同時にこれらの容易な管理によって製品コストを低減することができることとなる。
【０００７】
【発明の実施の形態】
以下、本発明の実施例を図面に基づいて説明すれば、図１は本発明の集中配管一括固定用保持具の使用状態時の平面図、図２は図１Ａ−Ａ線の断面図、図３は他の実施例に係る図２相当図、図４は更に他の実施例の図２相当図、図５は更に別の実施例の図２相当図であって、(1) は樹脂材等による保持具であり、射出成形により幅手方向に亘る一方表面に間隔を保持して複数の欠円溝 (3)…を設け、且つその両側端部附近にＬ字形状の孔(4) と爪壁(5) とを有して形成した一方の保持片(2) と、図２及び図３に示すように該保持片の前記表面に対向して同様の欠円溝(3´)…を有して前記孔(4) と爪壁(5) とのなす係着手段を設けた他方の保持片(2´)との一対をもって構成するものである。
【０００８】
そしてそれぞれの前記爪壁(5) 部を対向する孔(4) 部に係支した状態で図２及び図３のように複数の配管(P) を相互の欠円溝 (3)…と(3´)…部との間に配管(P) を包持して固定するものであり、前記係支状態にあってそれぞれの間隔部のなす頂部での互いの当接或いは他方の平板面との当接によって弾発状に係支してなるものである。
尚、本発明では複数の欠円溝 (3)…とＬ字形状の孔(4) からなる係着手段に代えて、図４のように先端に内方へ突出する爪壁(4a)を保持片(2,2´)の側面に設けられた孔(4a)に嵌合することにより相互に係着したり、或いは図５のように保持片(2,2´)の対向表面でその両側端部附近に設けた傘状突出部(5a)を係合孔(5b)に嵌合することにより相互に係着することもできる。
【０００９】
さらに(6) はほぼ傘状等からなる取付け壁であり、所望に応じ基体側への固定に関連した保持具(1) の背面側、すなわち図３のように一方の保持片(2) 、または他方の保持片(2´)或いは(2")の背面側に一体に突設して該基体の固定孔部に差し込んで取付けるものである。
また本発明では、図５のように取付け壁(6a)をボス状に形成し、該ボス部に、好ましくはインサート(9) を内装し、ボルト(7) を螺合することによりワッシャを介して基体(8) に取付けることも可能である。尚、図５は、外径が異なる複数の配管(P) を保持した例を示すものである。
【００１０】
【発明の効果】
以上説明したように本発明による集中配管一括固定用保持具は、前記一対の合せ形からなる保持具(1) 及びその両側端部附近を互いに弾発状に係着して構成するため、一括集中する結束配管の数や外径の違いにあっても一定の保持具(1) の使用をもって支障なく適用することができ、同時に他方の保持片(2´)或いは(2")による包持構造によって配管(P) のそれぞれの欠円溝(3) もしくは(3) (3´)での抜けの憂いをなくして確実に固定することとなり、また余分な多種類の保持具の成形並びに該成形用の型製作を不要となすと共に、容易な製品及び型管理によってコストを低減することができる等、極めて有用な集中配管一括固定用保持具である。
【図面の簡単な説明】
【図１】  本発明の集中配管一括固定用保持具の使用状態時の平面図である。
【図２】  図１Ａ−Ａ線の断面図である。
【図３】  他の実施例に係る図２相当図である。
【図４】  更に他の実施例の図２相当図である。
【図５】  更に別の実施例の図２相当図である。
【図６】  従来例を示す集中配管一括固定用保持具の配管保持状態時の縦断面図である。
【図７】  同じく従来例の他の実施例を示す図６相当図である。
【符号の説明】
１  保持具
２、２´ 、２"   保持片
３、３´   欠円溝
４、４ａ、４ｂ  孔
５、５ａ、  爪壁
５ｂ  突出部
６、６ａ  取付け壁
Ｐ  配管
【図１】
0003763366.tif 000002
【図２】
0003763366.tif 000003
【図３】
0003763366.tif 000004
【図４】
0003763366.tif 000005
【図５】
0003763366.tif 000006
【図６】
0003763366.tif 000007
【図７】
0003763366.tif 000008